(57)【要約】【課題】  画像ズーム調整、撮影時の焦点位置の移動、露出位置の変更操作を、以前より電話番号入力の為に設けられているテンキーを用いることにより小型化を阻害せずに、しかも、容易に操作することが可能な電子カメラ付き携帯端末装置を提供する。  【解決手段】レンズ１８からの撮影した画像をＬＣＤ１２に表示しているときに、テンキー１６の８キーを押したときに、８キーに対応する領域Ｈの画像が、ＬＣＤ１２の表示領域に拡大表示される。【選択図】  図１  
2005175977.tif 000002
【特許請求の範囲】
【請求項１】
画像を表示する表示手段と、画像を記録する記録手段と、他の端末への情報送信手段と、他の端末からの情報受信手段と、０から９の数字の入力可能なテンキーを有する携帯端末装置において、
前記表示手段に表示する画像をテンキーの配列に対応する領域で分割し、テンキーを押すとそれに対応する領域の画像が前記表示手段内で拡大表示されることを特徴とする携帯端末装置。  
【請求項２】
画像を表示する表示手段と、画像を記録する記録手段と、他の端末への情報送信手段と、他の端末からの情報受信手段と、０から９の数字の入力可能なテンキーを有する携帯端末装置において、
前記表示手段に表示する画像をテンキーの配列に対応する領域で分割し、複数のテンキーを同時に押すとそれに対応する領域の中間の画像が前記表示手段内で拡大表示されることを特徴とする携帯端末装置。  
【請求項３】
画像を入力する撮像手段と、画像を表示する表示手段と、画像を記録する記録手段と、他の端末への情報送信手段と、他の端末からの情報受信手段と、０から９の数字の入力可能なテンキーを有する携帯端末装置において、
前記撮像手段から入力された画像を前記表示手段に表示させ、前記表示手段に表示した画像をテンキーの配列に対応する領域で分割し、テンキーを押すとそれに対応する領域の画像に焦点が合うことを特徴とする携帯端末装置。
【請求項４】
画像を入力する撮像手段と、画像を表示する表示手段と、画像を記録する記録手段と、他の端末への情報送信手段と、他の端末からの情報受信手段と、０から９の数字の入力可能なテンキーを有する携帯端末装置において、
前記撮像手段から入力した画像を前記表示手段に表示させ、前記表示手段に表示した画像をテンキーの配列に対応する領域で分割し、複数のテンキーを同時に押すとそれに対応する領域の中間の画像に焦点が合うことを特徴とする携帯端末装置。
【請求項５】
画像を入力する撮像手段と、画像を表示する表示手段と、画像を記録する記録手段と、他の端末への情報送信手段と、他の端末からの情報受信手段と、０から９の数字の入力可能なテンキーを有する携帯端末装置において、
前記撮像手段から入力した画像を表示手段に表示させ、表示手段に表示した画像をテンキーの配列に対応する領域で分割し、テンキーを押すとそれに対応する領域の画像に露出が自動補正されることを特徴とする携帯端末装置。
【請求項６】
画像を入力する撮像手段と、画像を表示する表示手段と、画像を記録する記録手段と、他の端末への情報送信手段と、他の端末からの情報受信手段と、０から９の数字の入力可能なテンキーを有する携帯端末装置において、
前記撮像手段から入力した画像を前記表示手段に表示させ、前記表示手段に表示した画像をテンキーの配列に対応する領域で分割し、複数のテンキーを押すとそれに対応する領域の境界付近の画像に露出が自動補正されることを特徴とする携帯端末装置。
【発明の詳細な説明】
【技術分野】
【０００１】
本発明は、電子カメラ機能を有する複合型携帯情報端末に関し、特に、表示手段に表示された画像の拡大、撮影画像の自動焦点領域の選択、自動露出領域の選択を行う操作性の向上に係る技術に関する。
【背景技術】
【０００２】
従来の電子カメラ付き携帯端末の簡単な構成例を図４に示している。図３の携帯端末をカメラとして使用する場合はレンズ１８と内蔵のイメージサンサより画像を取り込み、内蔵メモリーや外部メモリーに記録することができる。
【０００３】
また、端末として電話機能を使用する場合は、相手先の電話番号を０から９に割り振られたテンキー１６により入力しダイヤルすることが可能である。情報通信機能を有しているため、他の端末と画像を相互交換も可能である。
【０００４】
画像はＬＣＤ１２に表示される。使用者は十字キー１４の△キーを押して画像を拡大したり、▽キーを押して拡大された画像を元のサイズに縮小したりすることができる。この場合、画像の中心は常にかわらないまま拡大・縮小が行われる。
【０００５】
なお、撮影時の焦点は固定焦点で画面の中央部付近に焦点が合う設定になっており、撮影時の露出補正は画面の中央部付近の明るさを基準に決められている。
【特許文献１】特開２００２−１４１９７８号公報
【発明の開示】
【発明が解決しようとする課題】
【０００６】
しかしながら、電子カメラ付き携帯端末では、携帯端末は携帯性の向上を図るため、小型に作られている。今後の電子カメラ付き携帯端末の撮像部および表示部の高性能化に伴い、画像ズーム調整、撮影時の焦点位置の移動や、露出位置の変更などといった多機能が可能となると、機能追加のためにたくさんのキーが必要になり、操作が複雑になったり、機器の大型化につながるという課題があった。
【０００７】
本発明は、上述の問題点に鑑みて成されたもので、画像ズーム調整、撮影時の焦点位置の移動、露出位置の変更操作を、以前より電話番号入力の為に設けられているテンキーを用いることにより小型化を阻害せずに、しかも、容易に操作することが可能な電子カメラ付き携帯端末装置を提供することを目的とする。  
【課題を解決するための手段】
【０００８】
上記課題を解決するために本発明は、画像を表示する表示手段と、画像を記録する記録手段と、他の端末への情報送信手段と、他の端末からの情報受信手段と、０から９の数字の入力可能なテンキーを有する携帯端末において、表示手段に表示する画像をテンキーの配列に対応する領域で分割し、テンキーを押すとそれに対応する領域の画像が表示手段内で拡大表示されることを特徴とする。
【０００９】
また、複数のテンキーを同時に押すとそれに対応する領域の中間の画像が表示手段内で拡大表示されることを特徴とする。
【００１０】
また、撮像手段から入力した画像を表示手段に表示させ、表示手段に表示した画像をテンキーの配列に対応する領域で分割し、テンキーを押すとそれに対応する領域の画像に焦点が合うことを特徴とする。
【００１１】
また、複数のテンキーを同時に押すとそれに対応する領域の中間の画像に焦点が合うことを特徴とする
さらに、撮像手段から入力した画像を表示手段に表示させ、表示手段に表示した画像をテンキーの配列に対応する領域で分割し、テンキーを押すとそれに対応する領域の画像に露出が自動補正されることを特徴とする。
【００１２】
また、複数のテンキーを押すとそれに対応する領域の境界付近の画像に露出が自動補正されることを特徴とする。
【発明の効果】
【００１３】
本発明によれば、画像表示機能が搭載されている携帯端末において撮影や再生での操作を行う際に、画像の拡大領域の選択、カメラの焦点を合わせる領域の選択、露出補正領域の選択をテンキーを用いて行うことが可能である。小型化でスイッチを増やすことができない携帯端末においても、操作指示をテンキーに割り振ることで、スイッチを追加することなく操作が容易に行うことが可能で小型な携帯端末を提供できる。
【発明の最良の実施形態】
【００１４】
以下に本発明の実施例について説明する。
【実施例１】
【００１５】
以下に、本発明の第１の実施例を図１〜図３に基づき説明する。
【００１６】
図１は、本発明の実施形態の電子カメラ付き携帯端末の外観図である。電話機能を使用する際必要なアンテナ１０、スピーカー１１、マイク１７、電話番号を入力するキー（各キーが０〜９までの数字と対応したキーで、以後テンキーとする）１６を有する。１３、１５は通話を開始、終了するためのキーである。また、本発明の携帯端末には撮像機能を有しており、撮像に用いるカメラレンズ１８、画像表示を行うＬＣＤ１２を有している。１４は機能の切換えを指示するキーで、キー内の矢印位置で上下左右の４方向で指示が可能である十字キーである。
【００１７】
ＬＣＤ１２に表示される画像は、仮想の点線で示した領域ＡからＩに対応付けされて記録されている。画像領域ＡからＩは、テンキーの１から９に対応付けされている。
【００１８】
図２は図１のブロック図である。撮影レンズ１は被写体像を撮像素子であるＣＣＤ２２の撮像面に結像するようになっている。レンズ制御部２１３では指示された倍率や絞りなどの光学系の制御を行い、ＣＣＤ２２は撮像面に結像した光学像を電気信号に変換して、画像信号に変換して、画像信号として撮像部２３に出力する。  
【００１９】
撮像部２３は、ＣＣＤ２２から画像信号にガンマ補正処理、色分解処理およびホワイトバランス処理などの画像処理を加える。記録部２５では撮像部２３からの画像を内部メモリーやカードに記録する。
【００２０】
再生部２４では記録部２５に記録された画像を読み出してＬＣＤ１２に出力する。音声はマイク２１２で集音され音調整部を経て音信号として変換後、記録部２５で記録される。また、再生部２４で記録された音情報は音調整部２１０を経てスピーカー２１１より出力される。携帯電話として用いる場合はテンキー２７より入力された番号への発信または受信等を受信部２８、送信部２９で行い、マイク２１２やスピーカー２１１を通して音の発信または受信を行う。
【００２１】
本実施例では十字キー１４のメニュー操作によって撮影モード、再生モード、通話モードに切換えられる。
【００２２】
通話モードではテンキーを用いて通話先の電話番号を入力し、通話スイッチを入力すると発信する。また他の端末からの受信時も通話スイッチを入力することで受話できる。
【００２３】
撮影モードの場合は、ＬＣＤ１２にはカメラからの画像が記録部に一旦メモリーされた画像が映し出されて、再生モードの場合は、ＬＣＤ１２には再生部２４おり画像データ出力される。ＬＣＤ１２の画像領域は、テンキー１６の１、２、３、４、５、６、７、８、９のキーに対応するようにＡ、Ｂ、Ｃ、Ｄ、Ｅ、Ｆ、Ｇ、Ｈ、Ｉの９箇所の領域に分割されている。
【００２４】
したがって、テンキー１６のたとえば１キーを押すと、１キーに対応した画像領域Ａの部分がＬＣＤ１２に拡大されて表示されるものである。ここで、テンキー１６を他の機能との使い分けのために、「＊」キーとテンキー１６を同時に押すと、その押したテンキーに対応する領域が拡大表示されることとする。また、本実施例では、０キーを長押しすると画像が初期の状態にもどるものとなっている。
【００２５】
図３ではレンズ１８からの撮影した画像をＬＣＤ１２に表示しているときに、テンキー１６の８キーを押したときに、８キーに対応する領域Ｈの画像が、ＬＣＤ１２の表示領域に拡大表示されることを示している。
【００２６】
例えば、テンキー１６のたとえば１キーと２キーを同時押しすると、Ａの領域とＢの領域の境を中心とした部分の画像が拡大され、ＬＣＤ１２に表示される。ここで、テンキー２７を他の機能との使い分けのために、「＊」キーとテンキー１６の１キーと２キーを同時に押すと、Ａの領域とＢの領域の境を中心に拡大表示されることとする。また、本実施例では、０キーを長押しすると画像が初期の状態にもどるものとなっている。
【００２７】
カメラ焦点の操作では、テンキー１６のたとえば１キーを押すと、１キーに対応する領域Ａの中心にカメラの焦点が合う。２キーを押すと、２キーに対応する領域Ｂの中心にラメラの焦点が合う。ここで、テンキー１６を他の機能との使い分けのために、「＃」キーとテンキー１６を同時に押すと、その押したテンキーに対応する領域の中心にカメラの焦点が合うこととする。また、本実施例では、０キーを長押しすると画像が初期の状態にもどるものとなっている。
【００２８】
また、テンキー１６のたとえば１キーと２キーを同時に押すと、Ａの領域とＢの領域の境界にカメラの焦点が合う。ここで、テンキー１６を他の機能との使い分けのために、「＃」キーとテンキー１６の１キーと２キーを同時に押すと、Ａの領域とＢの領域の境界にカメラの焦点が合うこととする。また、本実施例では、０キーを長押しすると画像が初期の状態にもどるものとなっている。
【００２９】
露出に係る操作では、テンキー１６のたとえば１キーを押すと、Ａの領域の画像の明るさを所望の明るさにすべく露出補正を行う。ここで、テンキー１６を他の機能との使い分けのために、テンキー１６の０キーと１キーを同時に押すと、１キーに対応付けされたＡの領域の明るさを所望の明るさにすべく露出補正を行うこととする。また、本実施例では、０キーを長押しすると画像が初期の状態にもどるものとなっている。
【００３０】
また、テンキー１６のたとえば１キーと２キーを同時に押すと、Ａの領域とＢの領域の境界付近の画像の明るさを所望の明るさにすべく露出補正を行う。ここで、テンキー１６を他の機能との使い分けのために、テンキー１６の０キーと１キーと２キーを同時に押すと、１キーに対応するＡの領域と、２キーに対応するＢの領域の境界にカメラの焦点が合うこととする。また、本実施例では、０キーを長押しすると画像が初期の状態にもどるものとなっている。
【図面の簡単な説明】
【００３１】
【図１】本発明の実施例１に係る外観図である
【図２】本発明の実施例１に係るブロック図である
【図３】本発明の実施例１に係る外観図である
【図４】従来の電子カメラ付き携帯端末の簡単な構成概観図である。
【符号の説明】
【００３２】
１０          アンテナ部
１１          スピーカー部
１２          ＬＣＤ部
１３          通話スイッチ
１４          切スイッチ
１５          十字キー
１６          テンキー
１７          マイク
１８、２１    レンズ
２２          ＣＣＤ
２３          撮像部
２４          再生部
２５          記録部
２６          制御部
２７          テンキー部
２８          受信部
２９          送信部
２１０        音調整部
２１１        スピーカー
２１２        マイク
２１３        レンズ制御部
【図１】
2005175977.tif 000003
【図２】
2005175977.tif 000004
【図３】
2005175977.tif 000005
【図４】
2005175977.tif 000006